(57)【要約】  【課題】電話システムの消費電力を低減することのできる技術を提供する。  【解決手段】内線電話機１に人体検知部１５を設け、この人体検知部１５により人体が検知されていない場合、この内線電話機１を「省電力モード」で動作させる。また、交換機２に、自交換機２が収容する内線電話機１の動作モードを取得する動作モード取得部２６を設け、在席情報更新部２７により、この動作モード取得部２６により取得された動作モードが「省電力モード」である内線電話機１の在席情報を「不在」に設定し、呼制御部２４により、着信に対する呼び出しの対象からこの内線電話機１を除外する。【選択図】図１
2009077275.tif 000002
【特許請求の範囲】
【請求項１】
「通常モード」および「省電力モード」の二つの動作モードを有する複数の電話機と、前記複数の電話機を収容する交換機と、を有する電話システムであって、
前記交換機は、
前記複数の電話機の在席情報を記憶する在席情報記憶手段と、
前記複数の電話機の動作モードを取得する動作モード取得手段と、
「通常モード」の電話機が「在席」となり、「省電力モード」の電話機が「不在」となるように、前記動作モード取得手段により取得された動作モードに従って、前記在席情報記憶手段に記憶されている在席情報を更新する在席情報更新手段と、
「不在」の電話機を呼び出さないように、前記在席情報記憶手段に記憶されている在席情報に従って、着信に対する呼び出しを制御する呼出制御手段と、を有し、
前記電話機は、
所定エリアに存在する人体を検知する検知手段と、
前検知手段により第一の所定時間続けて人体が検知された場合、動作モードが「省電力モード」ならばこれを「通常モード」に変更すると共に、前記検知手段により第二の所定時間続けて人体が検知されなかった場合に、動作モードが「通常モード」ならばこれを「省電力モード」に変更するモード変更手段と、を有する
ことを特徴とする電話システム。
【請求項２】
請求項１に記載の電話システムであって、
前記交換機は、
前記在席情報記憶手段に記憶されている在席情報が「不在」を示す電話機に着信があった場合に、当該着信に応答して所定の音声メッセージを送信する不在通知手段をさらに有する
ことを特徴とする電話システム。
【請求項３】
請求項１に記載の電話システムであって、
前記交換機は、
前記在席情報記憶手段に記憶されている在席情報が「不在」を示す電話機に着信があった場合に、当該着信を所定の電話番号に転送する着信転送手段をさらに有する
ことを特徴とする電話システム。
【請求項４】
請求項１に記載の電話システムであって、
前記呼出制御手段は、
代表着信があった場合に、前記在席情報記憶手段に記憶されている在席情報が「在席」を示す電話機のみを呼び出す
ことを特徴とする電話システム。
【請求項５】
請求項１に記載の電話システムであって、
前記呼出制御手段は、
グループ着信があった場合に、対象グループに属する電話機のうち、前記在席情報記憶手段に記憶されている在席情報が「在席」を示す電話機のみを呼び出す
ことを特徴とする電話システム。
【請求項６】
請求項１乃至５のいずれか一項に記載の電話システムであって、
前記交換機は、
ＩＳＤＮ回線を介して前記複数の電話機を収容しており、
前記動作モード取得手段は、
ＩＮＦＯ信号が第三の所定時間以上ＩＮＦＯ０である電話機の動作モードを「省電力モード」として取得し、ＩＮＦＯ信号がＩＮＦＯ３である電話機の動作モードを「通常モード」として取得する
ことを特徴とする電話システム。
【請求項７】
請求項１乃至５のいずれか一項に記載の電話システムであって、
前記電話機は、
動作モードを変更した場合に、動作モードあるいは在席情報の変更通知を前記交換機に送信する変更通知手段をさらに有し、
前記動作モード取得手段は、
受信した前記変更通知に基づいて、当該変更通知の送信元の動作モードあるいは在席情報を取得する
ことを特徴とする電話システム。
【請求項８】
請求項１乃至７のいずれか一項に記載の電話システムであって、
前記検知手段は、
焦電型赤外線センサである
ことを特徴とする電話システム。
【請求項９】
請求項１乃至８のいずれか一項に記載の交換機。
【請求項１０】
請求項１乃至８のいずれか一項に記載の電話機。
【発明の詳細な説明】
【技術分野】
【０００１】
本発明は、電話システムの省電力技術に関する。
【背景技術】
【０００２】
特許文献１には、有線回線を介して交換機に収容されると共に、交換機から当該有線回線を介して給電される電話機において、長期間不要となる場合に、給電を自動停止して消費電力を大幅に低減させることができる電話システムが開示されている。
【０００３】
この電話システムでは、交換機に収容される内線電話機として多機能電話機を用いると共に、交換機に電源装置を設けて、多機能電話機で必要とする電力を内線電話接続用の内線線路を通じて給電する。また、多機能電話機には、内線線路を開閉する開閉手段を設けると共に、自多機能電話機が設置してある場所での照明の消灯を検知する検知手段を設け、かつこの検知手段による消灯検知情報により動作して開閉手段を開放操作する操作制御手段を設ける。これにより、消灯された場所にある多機能電話機への給電を停止して、この多機能電話機の動作モードを低消費電力モードへ移行させる。
【特許文献１】特開平８−５１５００号公報
【発明の開示】
【発明が解決しようとする課題】
【０００４】
特許文献１に記載の電話システムにおいて、低消費電力モードの多機能電話機に着信があった場合、多機能電話機への給電を再開して、この多機能電話機の動作モードを通常モードに復帰させ、この多機能電話機を呼び出す。しかしながら、この多機能電話機の近くに人がおらず、このため、人の操作による応答が期待できない場合、この多機能電話機を呼び出して通常モードに復帰させてしまう。これにより電話システムが電力を無駄に消費してしまう。
【０００５】
本発明は、上記事情に鑑みてなされたものであり、本発明の目的は、電話システムの消費電力を低減することのできる技術を提供することにある。
【課題を解決するための手段】
【０００６】
上記課題を解決するために、本発明では、電話機に、人体を検知する手段を設け、この手段により人体が検知されていない場合、この電話機を「省電力モード」で動作させる。また、交換機に、自交換機が収容する電話機の動作モードを取得する手段を設け、この手段により取得された動作モードが「省電力モード」である電話機を「不在」に設定し、着信に対する呼び出しの対象からこの電話機を除外する。
【０００７】
例えば、本発明は、「通常モード」および「省電力モード」の二つの動作モードを有する複数の電話機と、前記複数の電話機を収容する交換機と、を有する電話システムであって、
前記交換機は、
前記複数の電話機の在席情報を記憶する在席情報記憶手段と、
前記複数の電話機の動作モードを取得する動作モード取得手段と、
「通常モード」の電話機が「在席」となり、「省電力モード」の電話機が「不在」となるように、前記動作モード取得手段により取得された動作モードに従って、前記在席情報記憶手段に記憶されている在席情報を更新する在席情報更新手段と、
「不在」の電話機を呼び出さないように、前記在席情報記憶手段に記憶されている在席情報に従って、着信に対する呼び出しを制御する呼出制御手段と、を有し、
前記電話機は、
所定エリアに存在する人体を検知する検知手段と、
前検知手段により第一の所定時間続けて人体が検知された場合、動作モードが「省電力モード」ならばこれを「通常モード」に変更すると共に、前記検知手段により第二の所定時間続けて人体が検知されなかった場合に、動作モードが「通常モード」ならばこれを「省電力モード」に変更するモード変更手段と、を有する。
【発明の効果】
【０００８】
本発明では、近くに人がいない電話機が「省電力モード」で動作すると共に、交換機が「省電力モード」で動作している電話機を呼び出さないように着信を処理する。このため、本発明によれば、人の操作による応答が期待できない電話機を呼び出して「通常モード」に復帰させてしまうことを防止することができ、これにより、電話システムの消費電力を低減することができる。
【発明を実施するための最良の形態】
【０００９】
以下、本発明の実施の形態を説明する。
【００１０】
図１は、本発明の一実施の形態が適用された電話システムの概略図である。
【００１１】
図示するように、本実施の形態の電話システムは、複数の内線電話機１と、これらの内線電話機１を収容する交換機２と、を有する。
【００１２】
内線電話機１は、「通常モード」および「省電力モード」の二つの動作モードを有する。近くに誰かいるときは「通常モード」で動作し、誰もいないときは「省電力モード」で動作する。
【００１３】
図２は、内線電話機１の概略構成図である。
【００１４】
図示するように、内線電話機１は、内線インターフェース部１１と、ＭＭインターフェース部１２と、呼制御部１３と、通話処理部１４と、人体検知部１５と、動作モード制御部１６と、を有する。
【００１５】
内線インターフェース部１１は、自内線電話機１を交換機２に接続するためのインターフェースである。
【００１６】
ＭＭインターフェース部１２は、ハンドセット（スピーカ、マイク）、ＬＣＤ等の表示パネル、呼出音出力用のスピーカ、およびダイヤルキー、ファンクションキー等の操作パネル等を備えたマンマシンインターフェースである。
【００１７】
呼制御部１３は、呼制御処理を行って、通信相手との間に通話路を確立する。
【００１８】
通話処理部１４は、呼制御部１３により確立された通話路を介して、通話相手との通話処理を行う。具体的には、ＭＭインターフェース部１２のハンドセットに入力された音声信号を通話信号に変換し、通話路を介して通話相手に送信する。また、通話路を介して通話相手から受信した通話信号を音声信号に変換して、ＭＭインターフェース部１２のハンドセットから出力する。
【００１９】
人体検知部１５は、所定エリアに存在する人体を検知する。人体検知部１５には、例えば所定エリアに存在する人体から放出される赤外線エネルギーを検知する焦電型赤外線センサが用いられる。
【００２０】
動作モード制御部１６は、自内線電話機１の動作モードを制御する。具体的には、所定の移行条件を満足する場合に、自内線電話機１の動作モードを「通常モード」から「省電力モード」に移行させる。また、所定の復帰条件を満足する場合に、自内線電話機１の動作モードを「省電力モード」から「通常モード」に復帰させる。
【００２１】
本実施の形態では、所定の移行条件として次の条件（Ａ１）−（Ａ３）が同時に発生していることを要求している。
（Ａ１）人体検知部１５により第一の所定時間以上続けて人体が検出されていないこと。
（Ａ２）ＭＭインターフェース部１２にユーザの操作が入力されていないこと。
（Ａ３）呼制御部１３により通話相手との間に通話路が確立されていないこと。
【００２２】
また、所定の復帰条件として次の条件（Ｂ１）−（Ｂ３）の何れかが発生することを要求している。
（Ｂ１）人体検知部１５により第二の所定時間以上続けて人体が検出されていること。
（Ｂ２）ＭＭインターフェース部１２にユーザの操作が入力されたこと。
（Ｂ３）呼制御部１３に呼が着信したこと。
【００２３】
ここで、第一、第二の所定時間は、ユーザがＭＭインターフェース部１２を操作することで任意の時間を設定できるようにしてもよい。
【００２４】
また、動作モード制御部１６は、「省電力モード」において、ＭＭインターフェース部１２の表示パネル、スピーカを停止したり、通話処理部１４を停止したり、内線インターフェース部１１の送信機能を停止したり、あるいは、内線電話機１のハードウエアを構成する計算機のクロックスピードおよび／または供給電圧を落とすなどして、内線電話機１の消費電力を低減させる。
【００２５】
図３は、内線電話機１の動作を説明するためのフロー図である。
【００２６】
先ず、内線電話機１は、電源が投入されると、所定の初期設定（イニシャライズ）を行う。それから、「通常モード」で動作を開始する（Ｓ１０１）。
【００２７】
次に、「通常モード」において、動作モード制御部１６は、人体検知部１５による人体の検出結果を監視する。そして、第一の所定時間（例えば１０分間）以上続けて人体が検出されていないことを確認すると（Ｓ１０２でＹＥＳ）、動作モード制御部１６は、ＭＭインターフェース部１２および呼制御部１３の状態を監視する。そして、ＭＭインターフェース部１２にユーザの操作が入力されていないこと、および呼制御部１３により通話相手との間に通話路が確立されていないことを確認すると（Ｓ１０３、Ｓ１０４でともにＹＥＳ）、自内線電話機１の動作モードを「通常モード」から「省電力モード」に移行させる（Ｓ１１１）。
【００２８】
次に、「省電力モード」において、動作モード制御部１６は、人体検知部１５、ＭＭインターフェース部１２および呼制御部１３の状態を監視する。そして、人体検知部１５により第二の所定時間（例えば３秒間）以上続けて人体が検出されたこと、ＭＭインターフェース部１２にユーザの操作が入力されたこと、および呼制御部１３に呼が着信したことの少なくとも何れか一つを確認すると（Ｓ１１２〜Ｓ１１４の何れかでＹＥＳ）、自内線電話機１の動作モードを「省電力モード」から「通常モード」に復帰させる（Ｓ１０１）。
【００２９】
図１に戻って説明を続ける。交換機２は、自交換機２が収容する内線電話機１を外線（公衆回線網、ＩＰ電話網等）３に接続させる。また、交換機２は、自交換機２が収容する内線電話機１の動作モードを取得する。そして、動作モードが「省電力モード」である内線電話機１を「不在」に設定し、着信に対する呼び出しの対象からこの内線電話機１を除外する。
【００３０】
図４は、交換機２の概略構成図である。
【００３１】
図示するように、交換機２は、内線インターフェース部２１と、外線インターフェース部２２と、スイッチ部２３と、呼制御部２４と、在席情報記憶部２５と、動作モード取得部２６と、在席情報更新部２７と、を有する。
【００３２】
内線インターフェース部２１は、自交換機２を各内線電話機１に接続するためのインターフェースである。
【００３３】
外線インターフェース部２２は、自交換機２を外線３に接続するためのインターフェースである。
【００３４】
スイッチ部２３は、呼制御部２４の指示に従い交換処理を行って、外線３と内線電話機１との間、あるいは、内線電話機１と内線電話機１との間の接続を切り替える。
【００３５】
在席情報記憶部２５には、内線電話機１毎に、この内線電話機１に割り当てられている電話番号および在席情報が記憶される。
【００３６】
図５は、在席情報記憶部２５の登録内容を模式的に表した図である。図示するように、在席情報記憶部２５には、自交換機２が収容する内線電話機１毎にレコード２５０が登録されている。レコード２５０は、内線電話機１に割り当てられている電話番号を登録するフィールド２５１と、内線電話機１が所属するグループのグループ番号を登録するフィールド２５２と、ユーザの在席情報（「在席」および「不在」のいずれか）を登録するフィールド２５３と、在席情報「不在」時の着信に対する処理内容を登録するフィールド２５４と、を有する。本実施の形態では、在席情報「不在」時の着信に対する処理内容として、発信者にユーザの不在を知らせる音声メッセージを送信する「メッセージ」処理、および所定の電話番号に着信転送する「転送」処理のいずれかを想定している。
【００３７】
動作モード取得部２６は、内線インターフェース部２１に接続されている内線電話機１各々の信号状態を監視することにより、内線電話機１各々の動作モード（「通常モード」および「省電力モード」のいずれか）を認識し取得する。
【００３８】
図６は、内線電話機１と交換機２とがＩＳＤＮインターフェースで接続されている場合における、内線電話機１の動作モードとＩＮＦＯ信号との関係を説明するための図である。
【００３９】
内線電話機１は、「通常モード」において、交換機２にＩＮＦＯ３（Ｂ、Ｄチャンネルに通常データを含んだ、同期確立したフレーム）を送信する。これを受けて、交換機２は、内線電話機１にＩＮＦＯ４（Ｂ、ＤおよびＤエコーチャンネルに通常データを含んだ、同期確立したフレーム。Ａビットは２進「１」に設定）を送信する。また、交換機２において、動作モード取得部２６は、内線インターフェース部２１が内線電話機１から受信しているＩＮＦＯ信号がＩＮＦＯ３であることを認識することにより、この内線電話機１の動作モードを「通常モード」として認識する。
【００４０】
次に、内線電話機１は、「通常モード」から「省電力モード」に移行すると、交換機２にＩＮＦＯ０（無信号）を送信する。これを受けて、交換機２は、内線電話機１からのＩＮＦＯ信号が所定の時間ｔ１以上続けてＩＮＦＯ０であることを確認し、内線電話機１にＩＮＦＯ０を送信する。また、交換機２において、動作モード取得部２６は、内線インターフェース部２１が所定の時間ｔ１以上続けて内線電話機１からＩＮＦＯ０を受信していることを認識することにより、この内線電話機１の動作モードを「省電力モード」として認識する。
【００４１】
次に、内線電話機１は、「省電力モード」から「通常モード」に復帰すると、交換機２にＩＮＦＯ１（８ビットパターンの繰り返し）を送信する。これを受けて、交換機２は内線電話機１にＩＮＦＯ２（Ｂ、ＤおよびＤエコーチャネルに２進「０」を設定したフレーム、Ａビットも２進「０」を設定）を送信する。内線電話機１は、交換機２に、所定の時間ｔ２（但しｔ２＜ｔ１）続けてＩＮＦＯ０を送信し、その後、ＩＮＦＯ３を送信する。これを受けて、交換機２はＩＮＦＯ４を送信する。また、交換機２において、動作モード取得部２６は、内線インターフェース部２１が内線電話機１から受信しているＩＮＦＯ信号がＩＮＦＯ３に変化したことを認識することにより、この内線電話機１の動作モードを「通常モード」として認識する。
【００４２】
在席情報更新部２７は、動作モード取得部２６により取得された内線電話機１の動作モードに基づき、在席情報記憶部２５に記憶されているこの内線電話機１の在席情報を更新する。具体的には、内線電話機１のレコード２５０のフィールド２５３に登録されている在席情報を、この内線電話機１の動作モードが「通常モード」ならば「在席」に更新し、「省電力モード」ならば「不在」に更新する。
【００４３】
呼制御部２４は、呼制御処理を行ってスイッチ部２３を制御し、外線３と内線電話機１との間、あるいは、内線電話機１と内線電話機１との間に通話路を確立する。また、呼制御部２４は、在席情報「不在」の内線電話機１への着信を、この内線電話機１を呼び出すことなく、つまり「通常モード」に復帰させることなく処理する。
【００４４】
図７は、交換機２の着信動作を説明するためのフロー図である。
【００４５】
呼制御部２４は、外線インターフェース部２２を介して外線３から呼設定要求が着信すると（２０１でＹＥＳ）、在席情報記憶部２５を参照し、この呼設定要求で指定されている着番号を調べる（Ｓ２０２）。この着番号が、予め登録されている代表番号と一致する場合は（Ｓ２０２で「代表」）、Ｓ２０３に進む。また、この着番号が、何れかのレコード２５０のフィールド２５２に登録されているグループ番号と一致する場合は（Ｓ２０２で「グループ」）、Ｓ２０５に進む。また、この着番号が、何れかのレコード２５０のフィールド２５１に登録されている電話番号と一致する場合は（Ｓ２０２で「個別」）、Ｓ２０７に進む。
【００４６】
Ｓ２０３において、呼制御部２４は、在席情報記憶部２５を参照し、フィールド２５３に登録されている在席情報が「在席」であるレコード２５０を全て検出し、検出した各レコード２５０のフィールド２５１に登録されている電話番号により特定される内線電話機１を、内線インターフェース部２１を介して呼び出す。その後、所定の呼制御手順に従い、呼び出しに応答した内線電話機１と呼の発信元との間に通話路を確立する（Ｓ２０４）。
【００４７】
また、Ｓ２０５において、呼制御部２４は、在席情報記憶部２５を参照し、着番号がフィールド２５２に登録されており、且つフィールド２５３に登録されている在席情報が「在席」であるレコード２５０を全て検出し、検出した各レコード２５０のフィールド２５１に登録されている電話番号により特定される内線電話機１を、内線インターフェース部２１を介して呼び出す。その後、所定の呼制御手順に従い、呼び出しに応答した内線電話機１と呼の発信元との間に通話路を確立する（Ｓ２０６）。
【００４８】
また、Ｓ２０７において、呼制御部２４は、在席情報記憶部２５を参照し、着番号がフィールド２５１に登録されているレコード２５０を検出し、このレコード２５０のフィールド２５３に登録されている在席情報を調べる。在席情報が「不在」ならば（Ｓ２０７でＹＥＳ）、このレコード２５０のフィールド２５４に登録されている不在時着信処理の内容に従い呼設定要求を処理する（Ｓ２０８）。
【００４９】
例えば、フィールド２５４に登録されている不在時着信処理の内容が「メッセージ」である場合、呼制御部２４は、外線インターフェース部２２を介して呼設定要求に応答して、通話相手との間に通話路を確立し、この通話路を介して通話相手に、予め登録しておいた不在の旨の音声メッセージを送信する。
【００５０】
また、例えば、フィールド２５４に登録されている不在時着信処理の内容が「転送」である場合、呼制御部２４は、内線インターフェース部２１を介して所定の内線電話機１に呼設定要求を転送する。ここで、所定の内線電話機１には、例えば着番号の内線電話機１と同じグループに所属し、且つ在席情報が「在席」の内線電話機１が選択される。具体的には、フィールド２５１に着番号が登録されているレコード２５０のフィールド２５２に登録されているグループ番号を特定する。そして、このグループ番号がフィールド２５２に登録されており、且つフィールド２５３に登録されている在席情報が「在席」であるレコード２５０を検索し、検索したレコード２５０のフィールド２５１に登録されている電話番号により特定される内線電話機１を、内線インターフェース部２１を介して呼び出す。
【００５１】
一方、Ｓ２０７において、在席情報が「在席」ならば（Ｓ２０７でＮＯ）、着番号により特定される内線電話機１を、内線インターフェース部２１を介して呼び出す（Ｓ２０９）。その後、所定の呼制御手順に従い、この内線電話機１と呼の発信元との間に通話路を確立する（Ｓ２１０）。
【００５２】
図８は、交換機２の在席情報更新動作を説明するためのフロー図である。
【００５３】
動作モード取得部２６は、内線インターフェース部２１に接続されている各内線電話機１の信号状態を監視して、動作モードの変更を検出する（Ｓ２５１、Ｓ２５２）。そして、動作モードの変更を検出したならば（Ｓ２５２でＹＥＳ）、この動作モードの変更が検出された内線電話機１の電話番号と共に変更後の動作モードを、在席情報更新部２７に通知する。
【００５４】
これを受けて、在席情報更新部２７は、動作モード取得部２６から通知された電話番号をキーにして、在席情報記憶部２５からレコード２５０を検索する。そして、動作モード取得部２６から通知された通知モードが「省電力モード」ならば（Ｓ２５３で「省電力」）、この検索したレコード２５０のフィールド２５３に登録されている在席情報を「在席」から「不在」に変更する（Ｓ２５４）。一方、動作モード取得部２６から通知された通知モードが「通常モード」ならば（Ｓ２５３で「通常」）、この検索したレコード２５０のフィールド２５３に登録されている在席情報を「不在」から「在席」に変更する（Ｓ２５５）。
【００５５】
図９は、図１に示す電話システムの動作例を説明するためのシーケンス図である。ここで、ユーザ４は、内線電話機１が机に置かれた席のユーザである。
【００５６】
ユーザ４が着席している間（Ｓ４０１）、内線電話機１は、例えば、第二の所定時間以上、所定エリアに人体が存在することを検知する。これにより、内線電話機１は、「通常モード」で動作する（Ｓ４０２）。交換機２は、内線電話機１の動作モードが「通常モード」であることを認識し、この内線電話機１の在席情報を「在席」に設定する（Ｓ４０３）。
【００５７】
次に、ユーザ４が退席すると（Ｓ４０４）、内線電話機１は、第一の所定時間以上、所定エリアに人体が存在していないことを検知する。そして、内線電話機１は、この間、内線電話機１と通話相手との間に通話路が確立されておらず、且つユーザ操作されていないならば、動作モードを「省電力モード」に変更する（Ｓ４０５）。これにより、交換機２は、内線電話機１の動作モードが「省電力モード」に変化したことを認識し、この内線電話機１の在席情報を「不在」に設定する（Ｓ４０６）。
【００５８】
次に、この内線電話機１の電話番号を着番号とする呼設定要求が外線３から着信すると（Ｓ４０７）、交換機２は、この内線電話機１の在席情報が「不在」に設定されていることを確認し、この内線電話機１について予め設定されている、不在時着信に対する処理（「メッセージ」、「転送」のいずれか）を行う（Ｓ４０８）。
【００５９】
以上、本発明の一の実施の形態について説明した。
【００６０】
本実施の形態では、内線電話機１に人体検知部１５を設け、この人体検知部１５により人体が検知されていない場合、この内線電話機１を「省電力モード」で動作させる。また、交換機２に、自交換機２が収容する内線電話機１の動作モードを取得する動作モード取得部２６を設け、在席情報更新部２７により、この動作モード取得部２６により取得された動作モードが「省電力モード」である内線電話機１の在席情報を「不在」に設定し、呼制御部２４により、着信に対する呼び出しの対象から、この内線電話機１を除外する。
【００６１】
このように、本実施の形態では、近くに人がいない内線電話機１が「省電力モード」で動作する共に、交換機２が、「省電力モード」で動作している内線電話機１を呼び出さないように着信を処理する。このため、人の操作による応答が期待できない内線電話機１を呼び出して「通常モード」に復帰させてしまうことを防止することができ、これにより、電話システムの消費電力を低減することができる。
【００６２】
また、本実施の形態において、交換機２は、在席情報が「不在」の内線電話機１に着信があった場合に、この着信に応答して所定の音声メッセージを送信することができる。あるいは、この着信を所定の電話番号に転送することができる。このため、本実施の形態によれば、在席情報が「不在」の内線電話機１に発信したユーザを電話口で長く待たせないで済む。
【００６３】
また、本実施の形態において、交換機２は、代表着信があった場合に、自交換機２が収容する内線電話機１のうち在席情報が「在席」の内線電話機１のみを呼び出す。また、グループ着信があった場合に、対象グループに所属する内線電話機１のうち在席情報が「在席」の内線電話機１のみを呼び出す。このため、本実施の形態によれば、人の操作による応答が期待できる内線電話機１のみを呼び出すことができ、これにより、電話システムの消費電力を低減することができる。
【００６４】
また、本実施の形態において、交換機２は、内線電話機１各々の信号状態を監視することにより、内線電話機１各々の動作モードを認識し取得する。例えば、交換機２および内線電話機１間のインターフェースがＩＳＤＮインターフェースである場合、ＩＮＦＯ信号が所定時間ｔ１以上ＩＮＦＯ０である内線電話機１の動作モードを「省電力モード」として取得し、ＩＮＦＯ信号がＩＮＦＯ３である内線電話機１の動作モードを「通常モード」として取得する。このようにすることにより、交換機２が内線電話機１各々の動作モードを取得するために、交換機２および各内線電話機１間で特別なメッセージを送受する必要がない。このため、電話システムの消費電力を低減することができる。
【００６５】
また、本実施の形態において、焦電型赤外線センサを用いることにより、内線電話機１の人体検知部１５を安価に構成することができる。
【００６６】
なお、本発明は上記の実施の形態に限定されるものではなく、その要旨の範囲内で数々の変形が可能である。例えば、内線電話機１、交換機２の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【００６７】
また、上記の実施の形態において、交換機２は、内線電話機１各々の信号状態を監視することにより、内線電話機１各々の動作モードを認識し取得している。しかし、本発明はこれに限定されない。
【００６８】
例えば、内線電話機１が動作モードを変更した場合に動作モード変更通知パケットを交換機２に送信し、交換機２の動作モード取得部２６が動作モード変更通知パケットを受信することにより、交換機２がこの動作モード変更通知パケット送信元の動作モードを取得するようにしてもよい。ここで、内線電話機１が、動作モード変更通知パケットを送信する代わりに、変更後の動作モードに対応する在席情報（「通常モード」なら「在席」、「省電力モード」なら「不在」）を格納したパケットを送信することにより、交換機２が内線電話機１の在席情報を直接取得するようにしてもよい。
【００６９】
また、上記の実施の形態において、内線電話機１は、ＩＳＤＮインターフェースを介して交換機２に収容されるデジタル多機能電話機でもよいし、あるいは、ＬＡＮインターフェースを介して交換機２に収容されるＩＰ電話機でもよい。また、内線電話機１のインターフェースは無線でもよい。
【図面の簡単な説明】
【００７０】
【図１】図１は、本発明の一実施の形態が適用された電話システムの概略図である。
【図２】図２は、内線電話機１の概略構成図である。
【図３】図３は、内線電話機１の動作を説明するためのフロー図である。
【図４】図４は、交換機２の概略構成図である。
【図５】図５は、在席情報記憶部２５の登録内容を模式的に表した図である。
【図６】図６は、内線電話機１と交換機２とがＩＳＤＮインターフェースで接続されている場合における、内線電話機１の動作モードとＩＮＦＯ信号との関係を説明するための図である。
【図７】図７は、交換機２の着信動作を説明するためのフロー図である。
【図８】図８は、交換機２の在席情報更新動作を説明するためのフロー図である。
【図９】図９は、図１に示す電話システムの動作例を説明するためのシーケンス図である。
【符号の説明】
【００７１】
１：内線電話機、２：交換機、３：外線、１１：内線インターフェース部、１２：ＭＭインターフェース部、１３：呼制御部、１４：通話処理部、１５：人体検知部、１６：動作モード制御部、２１：内線インターフェース部、２２：外線インターフェース部、２３：スイッチ部、２４：呼制御部、２５：在席情報記憶部、２６：動作モード取得部、２７：在席情報更新部
【図１】
2009077275.tif 000003
【図２】
2009077275.tif 000004
【図３】
2009077275.tif 000005
【図４】
2009077275.tif 000006
【図５】
2009077275.tif 000007
【図６】
2009077275.tif 000008
【図７】
2009077275.tif 000009
【図８】
2009077275.tif 000010
【図９】
2009077275.tif 000011